(57)【要約】【課題】  雨の日に、手を使うことなしに傘をさすことができる傘の保持具を開発する。【解決手段】  形状保持性を有するフレキシブル棒状物１の一端に傘の中棒４もしくは手元５を挟持する金具２が少なくとも１個取り付けられており、該棒状物の金具２部分を胸部に位置させ、該棒状物の他端を肩から背部６を経て胸部にまわすことにより傘を身体に保持可能にした。【選択図】  図１
0003146374.tif 000002
【実用新案登録請求の範囲】
【請求項１】
形状保持性を有するフレキシブル棒状物の一端に傘の中棒もしくは手元を挟持する金具が少なくとも１個取り付けられており、該棒状物の金具部分を胸部に位置させ、該棒状物の他端を肩から背部を経て胸部にまわすことにより傘を保持可能にしたことを特徴とする傘の保持具。
【請求項２】
形状保持性を有するフレキシブル棒状物に腰部バンドとつなぐための接続具を少なくとも１個設けた請求項１に記載の傘の保持具。
【考案の詳細な説明】
【技術分野】
【０００１】
本考案は雨の日に、手に持つことなく傘をさすことができる傘の保持具に関する。
【背景技術】
【０００２】
雨の日に傘をさすには片手を使うために、買い物袋、カバン、バッグ類を数多く持つことができないほか、両手で持つ必要のある荷物はまったく取り扱うことができない不都合があった。
また、雨の日に子供の手を引いて歩く時などは、片方の手で傘を持ち、片方の手で子供の手を引くことから荷物を持つことができないという不都合があった。
さらに、雨の日に写真撮影するような場合には、片手で傘を持ち片手ではカメラの操作をすることになるが、片手ではカメラの操作ができないばかりでなく、傘の揺れからカメラを持つ手が揺れて撮影できない不都合があった。
【０００３】
上記のような不都合を解決する手段としてこれまでいくつかの発明、考案がなされている。例えば、リュックに傘固定用の金具を設けて傘を固定する方法（特開平０９−５６４３５号公報）、肩にかけるようにした持ち手に傘を固定する方法（特開平１０−３３２２３号公報）、腕と傘を剛体で結合させて保持する方法（特開２０００−７３４９３号公報）、体にバンドをかけマジックテープ(登録商標)で傘を固定する方法（特開２０００−１４２８２３号公報）などがある。
【０００４】
しかしながら、上記の技術ではいまだに解決されていない。例えば、特開平０９−５６４３５号公報の方法では常にリュックを安定に保つようにしなければならず、さらにリュックが大きな容積を持つことから簡便に持ち歩くことができない不都合があった。
【０００５】
また、特開平１０−３３２２３号公報の方法では、持ち手が体の動きで揺れて傘が安定しない不都合があった。さらに、特開２０００−７３４９３号公報の方法では腕と傘を剛体で固定することから、実質的に片手の自由が奪われる不都合があった。
このほか、特開２０００−１４２８２３号公報の方法では被服の表面に取り付けたマジックテープ(登録商標)で傘の中棒を固定するため、傘の重みや、傘が受ける風によって傘が大きく傾く不都合があった。
【特許文献１】特開平０９−５６４３５号公報
【特許文献２】特開平１０−３３２２３号公報
【特許文献３】特開２０００−７３４９３号公報
【特許文献４】特開２０００−１４２８２３号公報
【考案の開示】
【考案が解決しようとする課題】
【０００６】
雨の日に傘を手に持つことなしに、傘を安定した状態でさすことができるとともに、両手が自由に使える傘の保持具を開発することである。
【課題を解決するための手段】
【０００７】
本考案は、形状保持性を有するフレキシブル棒状物の一端に傘の中棒もしくは手元を挟持する金具が少なくとも１個取り付けられており、該棒状物の金具部分を胸部に位置させ、該棒状物の他端を肩から背部を経て胸部にまわすことにより傘を保持可能にしたことを特徴とする傘の保持具である。
また本考案は、上記形状保持性を有するフレキシブル棒状物に腰部バンドとつなぐための接続具を少なくとも１個設けた傘の保持具である。
【考案の効果】
【０００８】
本考案は、図２に示すように、形状保持性を有するフレキシブル棒状物の一端に傘の中棒または手元を挟持しうる金具をつけたものであり、この棒状物を図１に示すように、棒状物の金具部分を胸に位置させ他端を肩から背部を経て胸部にまわすことにより傘を身体に保持できるようにしたものである。これにより、両手を自由に使いながら雨露をしのぐことができる。
【０００９】
また本考案は、図３に示すように棒状物に腰部バンドとつなぐための接続具を、少なくとも１本設けることによりさらに安定して傘を保持することができる。接続具の設ける位置は、棒状物の中棒または手元を挟持する金具部分と腰部バンド間、あるいは中棒が背面に位置する部分と腰部バンド間、および棒状物が背面を経て廻された胸部部分と腰部バンド間などに設けると、身体に大きな動きがあった場合でも、また傘が風を受けた場合においても安定して傘を保持することができる。
【考案を実施するための最良の形態】
【００１０】
本考案における形状保持性を有するフレキシブル棒状物とは、人の力で容易に屈曲させることができる剛性を持ちながら、曲げた状態でその形状を保持することができる棒状物を言うものであり、この条件を満たすものであればいかなるものでも用いることができる。例えば、水道配管に用いられるフレキシブル金属管（商品名フレキチューブ）、そろばん玉状の中空プラスチックがつなげられ給油配管などとして用いられている棒状物（商品名ロックライン）、プラスチックスの線状物が多数本緊縮して束ねられた棒状物、さらにはプラスチックスやゴムなどで被覆した針金なども用いることができる。
【００１１】
棒状物の長さは胸部から背中を経由して胸まで廻すことができる長さであれば良く、通常は０．５メートルから１．５メートル程度である。
これらの棒状物は、身体への装着性を良くするために必要に応じクッション材などで被覆、あるいはクッション材の貼り付けなどすることができる。
【００１２】
本考案における傘の中棒または手元を挟持する金具としては、ばね付の鰐口クリップ、ねじで留めるクリップでもよく、中棒または手元を確実かつ簡便に固定することができるものであれば特に限定されない。
また、金具の数に特に限定はなく、傘の中棒または手元を確実に挟持することができるものであれば１個でもよく、２個、３個とすることもできる。
【００１３】
本考案において形状保持性を有しフレキシブルな棒状物と腰部バンドとつなぐための接続具としては、棒状物の身体への装着をより確実にするためのものであり、金具部分と腰部バンド間とをつなぐもの、棒状物の背中に位置する部分と腰部バンド間をつなぐもの、背中を経由して胸部に廻された胸部分と腰部バンド間をつなぐものなどが考えられる。
【００１４】
本考案における接続具の材質は、布製の帯でもよく、プラスチック製の帯、金属製の鎖、伸縮性を有するゴムバンドなども用いることができる。また、接続具と腰部バンドとの接続方法に特に限定はなく、両者を簡便に接続することができる方法であればいかなる方法であっても良い。また、接続を容易にするために、接続具にマジックテープ(登録商標)、ホック、ボタン、クリップ等を付けることができる。
なお、図１および図４では傘の保持具を、金具が左胸に位置する使用例で示したが、金具が右胸に位置するように使用することもでき、位置関係に特に限定されるものではない。
【００１５】
以下、本考案の実施形態を実施例により説明する。
【実施例１】
【００１６】
図２において、棒状物１は金属製のフレキシブル水道管（商品名フレキチューブ）であり、外径１３ミリ、長さ１メートルのものである。２は金具であり金属製洗濯はさみを加工して水道管に固定したものであり、外径１５ミリまでの中棒および手元を挟持することができる。３も２と同じ金具である。
【００１７】
このように棒状物１と金具２、３から作られた傘の保持具を図１に示すように、金具部分を胸部に位置させ、他端を肩から背中を経て胸部まで廻して装着した。そのようにした後金具２、３に傘の中棒４を挟持させて傘を保持した。
雨の日の買い物帰りの際、このようにして傘を保持したが、両手に荷物を持つことができたことにより疲れなしに買い物をすることができた。
【実施例２】
【００１８】
図３は、図２と同様の傘保持具に、金具部分２にマジックテープ(登録商標)付の布製テープからなる接続具７をつけ、さらに棒状物１の背中に位置する部分にマジックテープ(登録商標)付の布製テープからなる接続具８をつけた例である。この傘の保持具を図４に示すように、身体に装着し、金具２、３で中棒を挟持することにより傘を保持した。このように接続具を用いることにより、より安定した状態で傘を保持することができた。
この状態で雨の日に屋外で写真撮影を行ったが、両手を自由に使うことができたために、快適に写真を撮ることができた。
【図面の簡単な説明】
【００１９】
【図１】本考案の保持具の使用形態を説明する例図である。
【図２】本考案の保持具を示す例図である。
【図３】本考案の接続具を有する保持具を示す例図である。
【図４】本考案の接続具を有する保持具の使用形態を説明する例図である。
【符号の説明】
【００２０】
１    棒状物
２    金具
３    金具
４    中棒
５    手元
６    棒状物１の背中に位置する部分
７    金具２部分と腰部バンド９とをつなぐ接続具
８    棒状物の背中に位置する部分６と腰部バンド９とをつなぐ接続具
９    腰部バンド
【図１】
0003146374.tif 000003
【図２】
0003146374.tif 000004
【図３】
0003146374.tif 000005
【図４】
0003146374.tif 000006